Podtech/llm-jp-corpus-v4-ja_patent huggingface dataset:
(57)【要約】【課題】  ヒカリゴケの植物は近年の天候の変化、大気汚染により年々減少している。ヒカリゴケの群落が発見されると看板が立てられ大事に保護しましょう等の文面が見られる程度で物理的な保護は一切されていないのが現状である。減少を防止する為に、又は、観賞用として屋内でガラスの容器を使用したヒカリゴケ植物の栽培方法。【解決手段】  屋内でガラスの容器１に生育基盤材３を敷き詰め、その上にヒカリゴケの原始体４を蒔き散水し蓋２をする、屋内でガラスの容器を使用したヒカリゴケの栽培方法。【選択図】図１
2015092881.tif 000002
【特許請求の範囲】
【請求項１】
屋内でガラスの容器に、生育基盤材を敷き詰めその上にコケ植物体の原始体を蒔く、又はコケ植物の蒔きゴケ法を実施したことからなるコケ植物の栽培方法。
【請求項２】
請求項１で記載の屋内とは、一般家庭の屋内であり、ガラスの容器に直射日光が当らない場所で、夜照明を数時間点灯する屋内からなるコケ植物の栽培方法。
【請求項３】
請求項１で記載のガラスの容器とは、水槽、又はグラス等の透明なガラスの容器で蓋等が容易にできて、水分、湿度を保つことができるガラスの容器からなるコケ植物の栽培方法。
【請求項４】
請求項１で記載の生育基盤材とは、埴壌土、砂壌土、又は花崗岩からなる生育基盤材である。
【請求項５】
請求項１で記載のコケ植物とは、蘚類のヒカリゴケ植物からなるコケ植物の栽培方法。
【発明の詳細な説明】
【技術分野】
【０００１】  準絶滅危惧種の一種であるコケ植物の栽培に関するものである。
【背景技術】
【０００２】  ヒカリゴケ植物の群落が発見されると、その付近に看板等が立てられ、ヒカリゴケ植物は準絶滅危惧種の一種です、大切に保護しましょう等の注意書きが見られる程度であり、物理的な保護は一切されていないのが現状である。
ヒカリゴケ植物の原子体は、他のコケ植物の原子体と違って土壌、又は、岩の表面を這うように発育成長します。原子体は枯死せずにいつまでも生きています。
原子体の細胞は、レンズ状になっていて弱い光を集めるのに便利になっています。又、細胞の中には、葉緑素があり差し込む光の角度が変わると移動して光合成が効率よく行われる仕組みになっています。
弱い光の中で生きる糧なのでしょう。
【発明の概要】
【発明が解決しようとする課題】
【０００３】  （イ）ヒカリゴケ植物は暗い洞穴の中、岩の隙間、大木の洞穴等の薄暗い所、じめじめした所で生育しています。その為に、乾燥に弱く、直射日光に当ると枯死してしまう。
（ロ）最近の天候は従来と違って極端な豪雨等でヒカリゴケ植物は土壌と共に流失してしまうことがある。又、長期にわたり降雨が無いために乾燥により枯死してしまう。又、大気汚染により年々減少している。
（ハ）ヒカリゴケ植物は生育環境の変化に敏感で、群落地付近の植物等の樹木、又は、樹木の枝等が何らかの影響で枯れる、又は、折れる等の原因で生育環境の僅かな変化で枯死することがある。
（ニ）ヒカリゴケ植物は、平地では夏季の時期は高温のため枯死してしまう。（稀に取り巻く環境により温度が高温にならない所では、生育しているが発育条件がよくないのでいつでも光っているというわけにはいかない。）
（ホ）本発明は、以上のような欠点をなくすために考案されたものである。
【課題を解決するための手段】
【０００４】  本発明は、以上の問題を解決するために、請求項１に記載のように、屋内でガラスの容器に生育基盤材を敷き詰めその上にコケ植物体の原始体を蒔く、又はコケ植物の蒔きゴケ法を実施したことからなるコケ植物の栽培方法を提供するものである。【０００５】  本発明は、以上の問題を解決するために請求項１で記載の屋内とは、一般家庭の屋内であり、ガラスの容器に直射日光が直接にあたらない場所で、夜照明を数時間点灯する屋内からなるコケ植物の栽培方法を提供するものである。【０００６】  本発明は、以上の問題を解決するために請求項１で記載のガラスの容器とは、水槽、又はグラスなどの透明なガラスの容器で容易に蓋等ができて水分、湿度を保つことができるガラスの容器からなるコケ植物の栽培方法を提供するものである。【０００７】  本発明は、以上の問題を解決するために請求項１で記載の生育基盤材とは、埴壌土、砂壌土、又は花崗岩からなる生育基盤材を提供するものである。【０００８】  本発明は、以上の問題を解決するために請求項１で記載のコケ植物とは、蘚類のヒカリゴケ植物からなるコケ植物栽培方法を提供するものである。
【発明の効果】
【０００９】（イ）屋内にガラスの容器を置くことにより、直射日光が直接あたるのを防ぐ等、光線量が容易に調節できる。
（ロ）屋内にガラスの容器を置くことにより、冬季でも屋内は保温効果が有りヒカリゴケ植物が容易に発育できる。
（ハ）屋内にガラスの容器を置くことにより、日常生活で夜照明を点灯することにより、ヒカリゴケ植物は照明の明るさでも十分に発育する。
又、照明の光を反射して美しいエメラルドグリーンに輝き鑑賞用としても十分に楽しめる。
（ニ）ガラスの容器にヒカリゴケ植物を入れることにより、水分、又は湿度を保つことができ発育を助長する。
（ホ）ガラスの容器にヒカリゴケ植物と他の植物を組み合わせて栽培することによりテラニウムとして楽しむことができる。
（ヘ）ヒカリゴケ植物は高温に弱いので夏季の時期は生育基盤材の表面を削り取るよう原始体及び茎葉体を採取し、ビニール袋等の容器に入れて乾燥を防止し保冷庫に保管し秋季時期に取り出し再現できる。これらの作業が容易に短時間でできる。（ヒカリゴケ植物は他のコケ植物と違い原始体は生育基盤材の表面を這うように発育します。）
（ト）準絶滅危惧種のヒカリゴケ植物の繁殖に役立てられる。
【図面の簡単な説明】
【００１０】
【図１】容器に生育基盤材を敷き詰め、その上にヒカリゴケの原始体を蒔き、その上から水を散水し、容器に蓋を被せた断面図である。
【００１１】以下、本発明実施に基づいて説明する。
【実施例１】
【００１２】    図１は本発明方法の断面図である。１は容器、２は蓋、３は生育基盤材、４はヒカリゴケの原始体（土壌の中に含まれている原始体を使用）
本発明方法は容器１に生育基盤材３を敷き詰め、その上にヒカリゴケの原始体４を蒔き、その上から霧状に散水し、蓋２を被せる。【００１３】  容器は水槽を使用した。生育基盤材は砂土壌を使用し厚さは約３ｃｍにした。ヒカリゴケの原始体は生育基盤材の表面の上に均一に蒔いた。その上から散水し蓋を被せた。容器を置いた屋内は通常普通に生活する部屋で直射日光があたらない所で夜照明を約３〜４時間点灯する屋内で行う。冬季は、生活上において暖房を使用した。
容器は、常に同じ場所に同じ向きに置いた。２回目からの給水はヒカリゴケ植物の原子体に直接かからないようにガラスの面をつたわるように流し込んだ。
実施時期は１１月上旬で５月下旬までを発育期間、及び鑑賞期間とした。
本発明は、以上のような屋内で容器を使用したヒカリゴケの栽培方法である。
【符号の説明】１  容器
２  蓋
３  生育基盤材
４  ヒカリゴケの原始体
【図１】
2015092881.tif 000003
(57)【要約】【課題】社会福祉の収入を拡大する為に、社会経済拡大全般演算料金他数学的演算料金、数値とセンターとしての政府のプライマリーバランス黒字化料金を企画調整して、社会福祉資金プール金演算処理するシステムを提供する。【解決手段】社会福祉の収入を拡大する為に、段階的に社会経済拡大全般演算料金他数学的演算料金、数値と政府のプライマリーバランス黒字化企画マネーを公債発行と関連づけて、すべての社会福祉への送金マネーを産生するプライマリーバランス金として、公債及び国債発行を増加、縮少コントロールしながら、社会福祉収入拡大演算処理するプログラムによって好循環が形成される。【選択図】図１
2015092345.tif 000002
【特許請求の範囲】
【請求項１】
ＩＴ上仮想空間において、その国の社会福祉組織の意志の集計結果コントロールする為に、以下の事業をセンターとして、政府が中心に行うシステムとしての、社会福祉をの収入を拡大する為の経済改革、政府によるすべての社会福祉への送金マネーを産生するプライマリーバランスコントロールと全取引マネーサプライ平等プログラム及びシステムと連動する社会福祉の収入拡大及び平等マネーサプライ供給プログラム及びシステム連動社会経済拡大全般演算料金他数学的演算料金、数値とセンターとしての政府のプライマリーバランス黒字化料金の企画調整連動、企業間取引金融資プログラムとシステム連動、社会福祉の収入拡大及び平等マネーサプライ供給プログラム及びシステム連動社会経済拡大全般演算料金他数学的演算料金、数値とセンターとしての政府のプライマリーバランス黒字化料金の企画調整連動、企業間取引金価格コントロールし、センターとしての政府のプライマリーバランス連動、余剰金産生プログラムとシステムセンターに連動する社会福祉の収入拡大及び平等マネーサプライ供給プログラム及びシステム連動社会経済拡大全般演算料金他数学的演算料金、数値とセンターとしての政府のプライマリーバランス黒字化料金の企画調整連動、企業間金融商品販売取引システム、プログラム処理装置、ネットワーク、管理、トランザクションの公開
【請求項２】
請求項１を特徴とする社会福祉の収入拡大及び平等マネーサプライ供給プログラム及びシステム連動社会経済拡大全般演算料金他数学的演算料金、数値とセンターとしての政府のプライマリーバランス黒字化料金の企画調整連動、企業間金融商品販売取引システムは、その国の基本統治（政府）を経済的に安定させ、平和をゆるぎないものとし、すべての社会福祉組織の所有するマネーを段階的に拡大所有させるシステムを形成する為に、又は、平等化する為に、前記センター（政府）は、本システムから、公共福祉に必要とみとめるマネー、債券を強制的に回収することができる演算プログラム。
前記公共福祉に必要とみとめるマネー、債券は、その国の国民に情報公開されるプログラム。
【請求項３】
請求項１と請求項２を段階的にすべての数式によって演算処理するプログラム。
及びその回転率と関連づけて演算処理するプログラム。
前記プログラムに公債発行と連動させて、社会福祉組織のマネー所有を拡大していく演算処理するプログラム。
【請求項４】
請求項１、２、３に連動するその国の政府は、公供福祉の観点から、自動的に、著作権者として、加盟する権利プログラム。（収入権利金分配比りつは、原著作権者と協議するものとする。）
尚、原著作者への著作権利金分配りつは、著作権利収入の２％●●●●●プログラム。又、明細文を請求項へ移記できるプログラム
【発明の詳細な説明】
【発明の詳細な説明】
【技術分野】
【０００１】
2015092345.tif 000003
福祉にみちびき、原著作者の思想の根源によりその国の政府を著作権者として加盟させ、地球全体の民の生活を豊かにする。本発明の特許権と著作権を原著作者と各国政府に一元化することにより、政府の財政を豊かにすることができる。尚、原著作者の前記収入（税差引後）の９０％を社会福祉組織と各公共団体、メガバンクプロジェクトにより、その国の５０才以上の人（自然人）に送金し公共福祉を充実させられる。
【背景技術】
【０００２】ゆとりある社会福祉余剰金を産生するまでにいたっていない現在の社会経済の現状である。【０００３】現在の社会福祉資金は、余剰金産生どころか、逆に足りなくなっている。
【発明が解決しようとする課題】
【０００４】本発明は、上記の点にかんがみてなされたもので満足する社会福祉収入を拡大することができ、満足する社会経済環境を作り出す。
【課題を解決するための手段】
【０００５】上記課題を解決するため、本発明においては、社会福祉資金を拡大する為に、すべての社会福祉組織へ満足するマネーを供給するため、政府連動社会福祉プライマリーバランス連動余剰金を演算計算し、その演算計算された余剰金と社会福祉の為に取引される必要な企業間取引金額を演算処理し、社会福祉収入を段階的に拡大していくことを目的とする。
図１の社会福祉プライマリーバランス連動余剰金産生プロジェクトのコントロール指示を政府が行う手段。
【０００６】政府（              ）の積極的コントロールにより、社会福祉循環マネーが、拡大し、社会的社会福祉プライマリーバランスが好形成されていく。
【発明の効果】
【０００７】社会福祉の収入が拡大することにより、社会福祉資金拡大プライマリーバランスが安定的にコントロールされていく。
【図面の簡単な説明】
【０００８】
【図１】社会福祉プライマリーバランス連動余剰金産生プロジェクト内、政府の前記産生コントロール形態の構成図。
【発明を実施する為の形態】
【０００９】請求項の全内容と図１を実施形態とする。
社会福祉組織への送金は、すべての数学的管理表と回転率データーより演算計算され、順次送金される。
【産業上の利用可能性】
【００１０】社会福祉の収入を拡大させ、満足する社会福祉マネー循環社会が形成される。
【図１】
2015092345.tif 000004
(57)【要約】【課題】本発明は、線材でできているハンドル部をなくし使用時にかさばりが少ないクリップを提供することを課題とする。【解決手段】線材を折り曲げて、二つの同形の長方形が中央の２か所の直線部でつながる状態にし、各長方形の前記２か所の直線部につながる辺と対抗する辺同士が互いに近接する向きの弾発力が常時作用して押圧部となるように、前記直線部につながる辺をそれぞれ軸にして、前記二つの長方形の部分を対向するように折り曲げ、前記押圧部の中央は、着脱具の先端を挿入できる隙間ができるように迂回させてあり、前記２か所の直線部の間隔は、直線部を着脱具の支点とすることができるよう前記押圧部に設けた前記着脱具の挿入部の幅よりは狭くし、前記直線部の長さが挟持する書類の最大の厚さとなる、構成とした。【選択図】図１
2015083872.tif 000002
【特許請求の範囲】
【請求項１】
リング状の線材を折り曲げて、二つの同形の長方形が中央の２か所の直線部でつながる状態にし、
各長方形の前記２か所の直線部につながる辺と対抗する辺同士が互いに近接する向きの弾発力が常時作用して押圧部となるように、前記直線部につながる辺をそれぞれ軸にして、前記二つの長方形の部分を対向するように折り曲げ、
前記押圧部の中央は、着脱具の先端を挿入できる隙間ができるように迂回させてあり、
前記２か所の直線部の間隔は、直線部を着脱具の支点とすることができるよう前記押圧部に設けた前記着脱具の挿入部の幅よりは狭くし、
前記直線部の長さが挟持する書類の最大の厚さとなる、
クリップ。
【請求項２】
リング状ではなく１本の線材を加工して製作し、その線材の両端の位置が、一方の押圧部の迂回部の中央にある、請求項１に記載されたクリップ。
【請求項３】
リング状ではなく１本の線材を加工して製作し、その線材の両端の位置が、一方の支点となる直線部の中央にある、請求項１に記載されたクリップ。
【請求項４】
支点となる直線部が押圧部側に湾曲している請求項１乃至３のいずれかに記載されたクリップ。
【発明の詳細な説明】
【技術分野】
【０００１】
この発明は、線材を立体形状に折り曲げ加工したクリップに関する。
【背景技術】
【０００２】
挟持部が線材でできており、線材でできているループ状のハンドル部を有するクリップが市販されている。
【発明の概要】
【発明が解決しようとする課題】
【０００３】
前記クリップは、線材でできているループ状のハンドル部があるために使用時に結束部がかさばる欠点がある。
また、着脱の時だけに使用するハンドル部を常時クリップに固定しておくことは資源の浪費になる。
【０００４】
本発明は、線材でできているハンドル部をなくし使用時にかさばりが少ないクリップを提供することを課題としている。
【課題を解決するための手段】
【０００５】
上記の目的を達成するために、本発明のクリップは、線材を折り曲げて、二つの同形の長方形が中央の２か所の直線部でつながる状態にし、各長方形の前記２か所の直線部につながる辺と対抗する辺同士が互いに近接する向きの弾発力が常時作用して押圧部となるように、前記直線部につながる辺をそれぞれ軸にして、前記二つの長方形の部分を対向するように折り曲げ、前記押圧部の中央は、着脱具の先端を挿入できる隙間ができるように迂回させてあり、前記２か所の直線部の間隔は、直線部を着脱具の支点とすることができるよう前記押圧部に設けた前記着脱具の挿入部の幅よりは狭くし、前記直線部の長さが挟持する書類の最大の厚さとなる、構成とした。
なお、前記２か所の直線部については、押圧部側に湾曲させることも可能である。
【発明の効果】
【０００６】
ハンドル部がない分だけ使用時のかさばりを少なくすることが可能である。
また、図４に示したような道具を使用すれば、本発明のクリップで容易に書類束を挟持することが可能であり、また、その取り外しも容易である。
図４に示したような道具は普及していないが、構造は単純であり、安価に製造することが可能であり、大量に製造して広く普及させることは可能である。
【図面の簡単な説明】
【０００７】
【図１】本発明（請求項１）のクリップの実施例の斜視図
【図２】本発明（請求項２、請求項３）のクリップの実施例の斜視図
【図３】本発明（請求項４）のクリップの実施例の斜視図
【図４】本発明のクリップの着脱具の１例の斜視図
【図５】本発明のクリップにクリップ着脱具を挿入した状態の斜視図
【発明を実施するための形態】
【０００８】
発明を実施するための形態は、図１から図３までのとおりである。
【０００９】
押圧部中央の迂回部が着脱具引掛け部３となる。
請求項２のクリップの線材の両端の位置は線材の端部Ａ５、請求項３のクリップの線材の両端の位置は線材の端部Ｂとなる。
【符号の説明】
【００１０】
１    本発明のクリップ
２    支点部
３    着脱具引掛け部
４    押圧部
５    線材の端部Ａ
６    線材の端部Ｂ
７    クリップ着脱具
【図１】
2015083872.tif 000003
【図２】
2015083872.tif 000004
【図３】
2015083872.tif 000005
【図４】
2015083872.tif 000006
【図５】
2015083872.tif 000007
(57)【要約】      （修正有）【課題】簡単な構成で3D立体物を生成するプリンター構造を提供する。【解決手段】不可逆性のある材質板面Ａ上に画像Ｊを印刷定着させ、この板に垂直に稼動可能なシリンダーの先ビットＬ等で板を押し上げる又は押し下げる事により画像のＸＹ座標それぞれに指定した場所に凹凸Ｂを与えるものである。ＸＹ画像には、コンピュータグラフィックデータによりＸＹに対応したＺ軸データ又はＸＹに任意に対応させたＺ軸データが存在し、シリンダーは、物理的垂直変化を与える。板は不可逆な性質の為、既に板面に存在する画像は、凹凸を持つ事となる。【選択図】図１
2015083363.tif 000002
【特許請求の範囲】
【請求項１】
不可逆性のある材質板面上に画像を印刷あるいは定着させこの板に垂直に稼動可能なシリンダーの先ビットや先ヘラでＸＹ座標それぞれに任意に指定した場所のＺ軸位置データを物理的に与える事により板に垂直位置を与える立体生成。
【請求項２】
不可逆性の板面に存在する画像に垂直にＺ軸変化を与え、表面にある画像に立体構造を構築させる手法で樹脂板・金属板など当初凹凸形状が記憶され、不可逆である為得られる表面画像が存在する立体造形生成
【請求項３】
不可逆性のある板状で表面にＸＹ座標を有する画像や写真を定着させ、これに対応した先端ヘラ形状や先端ビットなどを持つ垂直データ座標稼動可能なシリンダー類でＺ軸を上方、下方、移動変動を加える事で立体造形物を得る。
【請求項４】
水平移動する垂直の向きに変化を与えるシリンダーヘッドが不可逆性のある板状の画像に立体を与える構造
【発明の詳細な説明】
【技術分野】
【０００１】
本発明は、不可逆性のある板状表面に画像を印刷等で存在させ、この画像のＸＹ座標軸に対応する
垂直Ｚ軸変化をもたらすシリンダー等のメカニック作動を上下に与える事で、樹脂板上の任意の
位置に対しＺ軸上の高低差を作成し、不可逆性を利用する事でこの高低差を維持し、よって得られる
画像の立体化を生成する画像付立体生成構成技術である。
【背景技術】
【０００２】
非接触等の技術で板状物の表面にプリントする事が可能となった。
よって写真等の画像を不可逆性の性質のある樹脂や板に定着する事が出来る。
【先行技術文献】
【特許文献】
【０００３】
【特許文献１】特許公開2010−124949
【非特許文献】
【０００４】
【非特許文献１】http://www.21j.jp/realmask
【発明の概要】
【発明が解決しようとする課題】
【０００５】
従来の写真には、次のような解決すべき課題があった。
１、平面で存在する写真は、本来立体現物（被写体）であるものが２次元で写し撮られる。
２、写真からその被写体の立体造形を想像するのは容易だが、２次元である為立体造形は構築できない
３、XYで構成される写真は、ＸＹ座標上の垂直データを得られれば立体構築出来るが写真には、
与えられた垂直データがあっても従来立体構築は出来ない。
【課題を解決するための手段】
【０００６】
本発明は以上の点を解決するために、次のような構成を採用する。
〈構成１〉
不可逆性のある板面にＸＹ軸の位置の認識ある写真等の画像を存在させる。
〈構成２〉
不可逆性のある板面のＸＹ軸座標に対応する垂直Ｚ軸データを任意に与える。
〈構成３〉
Ｚ軸データは、シリンダー等の座標軸変化をもたらすメカニック構造で不可逆性のある板面に垂直に、押し上げ押し下げの上下稼動動作によりＸＹ座標の任意の位置の上下変化をもたらす。
【発明の効果】
【０００７】
本発明の不可逆性のある樹脂や板にある表面写真から立体物を作成する事で次のような効果がある。
〈具体例と効果〉
１、樹脂質や板面にある表面写真は、直接、あるいは転写などでこれら板と一体となり、板に凹凸を付ける事で、写真や画像は立体物になる。
２、樹脂質や板状の表面凹凸が、そのまま写真の凹凸になる為、写真が立体構築される。
３、立体構成された写真は、樹脂質や板面の硬化や不可逆性でその立体を維持できる。
４、樹脂質や板面にある表面の写真や画像は、垂直Ｚ軸データ変化を与える事で立体像となる。
【図面の簡単な説明】
【０００８】
【図１】この発明の具体的な図面
【発明を実施するための形態】
【０００９】
以下、本発明を図1を用いて詳細に説明する。
【実施例】
【００１０】
図１のＡは不可逆性のある樹脂板等の素材であり、ＪはＡ上に印刷された
画像である。Ｃ、ＤはＡを側面から見た図です。
Ｇは、位置座標の変更が出来るシリンダー等のメカニック稼動部であり
Ｌは、そのシリンダーの実際の稼動ビット及びヘラ部であり、Ｃ、Ｄの不可逆性板を
任意に押し上げるものです。Ａの板上に存在する写真が立体コンピュータグラフィックデータ
である場合、ＸＹＺ軸は、当然存在し、Ａの板状にＸＹデータは、先に印刷されており、Ｚ軸は
ＬとＧにより構成されたシリンダー類であり、Ａ板の側面からＺ軸データとして任意座標を
Ｅの稼動変化で凹凸変化を与えられる。またＡ板は、不可逆性の性質により、指定の
稼動位置まで上がり、戻らない性質がある。よってＫ部の様に盛り上がる。
またＥの盛り上がりは、ＸＹ平面座標の任意のＺ軸データである為Ｍユニットの様に
ＬとＧで構成されたシリンダー類が設計上複数本存在しえる時、これを複合して平面動作させる
稼動テーブルも存在しえる。しかるにＬとＧの構成はＸＹの平面すべての座標に対しＺ軸の
盛り上がりを加工する存在であり、ＸＹと連動するＺ軸データすべてに対応稼動するものである。
Ａ板状の写真は、不可逆性の板面に印刷されている為、上記構成で加工された板面には
Ｚ軸データで作られた任意の位置の盛り上がりを持つ表面印刷された立体物になる。
ＦはＬ、Ｇで構成されるユニットの移動を指し、またそのユニット複数を同時に移動させるテーブルを
Ｍ部とした。
【産業上の利用可能性】
【００１１】
不可逆性のある樹脂や金属類等の板は容易に存在し、これらの表面に写真や画像を印刷や定着する事は実用的に可能である。また、ＮＣやプロッターメカニックにより、垂直動作させるシリンダ部をＸＹデーブルで移動させる事も容易である。シリンダー部の位置座標はミリ単位以下の精度で移動可能なものまでありロボットメカニック等で可能になっている。シリンダーの圧力も、金属面を押し上げられる力のあるものもある。これらの現実的メカニック及び制御は、従来ある技術で本発明の構造は容易に構築できるものである。
【符号の説明】
【００１２】
Ａ  不可逆性のある樹脂等板上の素材
Ｊ  Ａ上に印刷された画像
Ｃ  Ｄ・Ａを側面から見た側面
Ｇ  垂直の位置座標の変更が出来るシリンダー等のメカニック稼動部
Ｌ  シリンダーの実際の稼動ビット及びヘラ部
Ｍ  ＧＬを含むユニットをＸＹ座標移動させるテーブル
Ｆ  ＭのＸＹ移動を示す
Ｅ  ＣＤに対し垂直座標移動するＬの移動を示す
Ｂ  垂直移動Ｅによって稼動したＣＤの垂直凹凸
Ｋ  Ｂによって与えられた不可逆な膨らみ
【図１】
2015083363.tif 000003
(57)【要約】【課題】合成樹脂飲料容器は、軽量且つ、衝撃に強く、密封性、耐圧性が高いといった特徴があり利便性が高く、既に普及品として広まっているが、スクリューキャップ部が非常に狭く、家庭用の氷など口径の大きい物質を投入できないといった欠点があった。【解決手段】合成樹脂飲料容器の胴体部を開閉可能にすることで、口径の大きい物質を投入可能にする機能性飲料容器を提供する。【選択図】図２
2015083474.tif 000002
【特許請求の範囲】
【請求項１】
合成樹脂飲料容器の胴体部が開閉可能で、スクリューキャップ部より口径の大きな物質を投入可能な機能性飲料容器。
【請求項２】
請求項１の容器は、軽量且つ、衝撃に強く、密封性、耐圧性の高い機能性飲料容器。
【請求項３】
請求項１、２の容器は、スクリューキャップ部にマイクロカプラソケットを装着することで、高圧ガス（二酸化炭素など）を充填可能な機能性飲料容器。
【発明の詳細な説明】
【技術分野】
【０００１】
本発明は、合成樹脂飲料容器の胴体部を開閉可能にした機能性飲料容器に関するものである。
【背景技術】
【０００２】
合成樹脂飲料容器は、軽量且つ、衝撃にも強く、密封性、耐圧性の高いといった特徴があり利便性が高く、既に普及品として広まっている。
【先行技術文献】
【特許文献】
【０００３】
【特許文献１】特開２００５−３５６３０号公報
【発明の概要】
【発明が解決しようとする課題】
【０００４】
既存の合成樹脂飲料容器は、スクリューキャップ部が非常に狭く、家庭用の氷など口径の大きいものを投入できないといった欠点があった。
【課題を解決するための手段】
【０００５】
本発明は、合成樹脂飲料容器の胴体部を開閉可能にすることで、家庭用の氷など、口径の大きい物質を投入可能とする機能をもった飲料容器を提供する。
【発明の効果】
【０００６】
本発明によれば、合成樹脂飲料容器の胴体部が開閉可能になる為、家庭用の氷などを投入すること可能になる。このことで、飲料容器内の液体を急速に冷却することが可能になる。これを利用し、飲料容器のスクリューキャップ部にマイクロカプラソケットを装着し、二酸化炭素（高圧ガス）を充填すると、二酸化炭素の溶解度が上がり、高濃度の炭酸飲料が製造可能となる。
【図面の簡単な説明】
【０００７】
【図１】図１は、合成樹脂飲料容器を利用した機能性飲料容器の胴体部を結合した説明図である。
【０００８】
【図２】図２は、合成樹脂飲料容器を利用した機能性飲料容器の胴体部を取り外した説明図である。
【０００９】
【図３】図３は、合成樹脂飲料容器を利用した機能性飲料容器に、二酸化炭素（高圧ガス）を充填するときの実施方法を示した説明図である。
【発明を実施するための形態】
【００１０】
この発明の実施形態を図３に示す。
【００１１】
合成樹脂飲料容器を利用した、機能性飲料容器に水と氷を投入する。スクリューキャップに取り付けた、マイクロカプラソケットと、マイクロカプラチューブフィッタ付きプラグを接続し、耐圧チューブ、ボールバルブ、大型ボンベ用レギュレターを経由し、二酸化炭素（高圧ガス）ボンベと接続する。
二酸化炭素（高圧ガス）ボンベの栓を開き、ボールバルブを開くことで、飲料容器内に二酸化炭素が充填される。氷を投入することで水温が急激に下がっている為、充填される二酸化炭素は、溶解度が上がる。
【００１２】
「実施形態の効果」
この実施形態によれば、氷を投入することで水温が急激に下がり、常温で二酸化炭素を充填するより、遥かに高濃度の炭酸飲料を提供することができる。また、電源を必要としない為、家庭や屋外でも利用可能である。
【符号の説明】
【００１３】
１：二酸化炭素（高圧ガス）ボンベ
２：大型ボンベ用レギュレター
３：ボールバルブ
４：耐圧チューブ
５：マイクロカプラチューブフィッタ付きプラグ（チューブ取付用）
６：マイクロカプラソケット（メネジ取付用）
７：スクリューキャップ
８：合成樹脂飲料容器胴体上部
９：合成樹脂飲料容器胴体下部
【図１】
2015083474.tif 000003
【図２】
2015083474.tif 000004
【図３】
2015083474.tif 000005
(57)【要約】【課題】トイレットペーパーホルダーで紙をカットして使用した後に、次の人が紙を使用する時には、トイレットペーパーホルダーの蓋を上げていちいち紙を引き出す不便さがある。【解決手段】トイレットペーパーホルダーの紙を次の人が使用する時に、簡単に取り出せるように紙の先端が数ｃｍ（2〜3ｃｍ）ホルダーの先から残るように、ペーパーホルダーに伸縮する機能の板バネスプリングを取り付けて、紙を切りそろえる器具にしたトイレットペーパーカッターホルダーである。【選択図】図１
2015083055.tif 000002
【特許請求の範囲】
【請求項１】
トイレットペーパーカットホルダーのカバーの裏側に、スプリング板バネを取り付けてトイレットペーパーカットホルダーの蓋が上下する事と、既存のトイレットペーパーホルダーに簡単に後付け出来る、トイレットペーパーカットホルダーである。
【発明の詳細な説明】
【技術分野】
【０００１】
本発明は、トイレットパーパーの紙使用が容易に取り出せるカットホルダーに関するものである。
【発明の概要】
【発明が解決しようとする課題】
【０００２】
トイレットペーパーホルダーで紙をカットして使用した後に、次の人が紙を使用する時には、トイレットペーパーホルダーの蓋を上げていちいち紙を引き出す不便さがある。
【課題を解決するための手段】
【０００３】
トイレットペーパーホルダーの紙を次の人が使用する時に、簡単に取り出せるように紙の先端が数ｃｍ（２〜３ｃｍ)ホルダーの先から残るように、ペーパーホルダーに伸縮する機能の板バネスプリングを取り付けて、紙を切りそろえる器具にしたトイレットペーパーカッターホルダーである。
【図面の簡単な説明】
【０００４】
【図１】本発明の斜視全体図と使用状態の断面図
【符号の説明】
【０００５】
（1）手で上から押す
（2）板バネスプリング圧縮状態
（3）トイレットペーパーホルダーの上蓋
（4）トイレットペーパーの先端部
（5）手を放すバネが上がる
（6）板バネスプリングが戻る
（7）トイレットペーパー先端が残る
【図１】
2015083055.tif 000003
(57)【要約】【課題】  車椅子で外出すると、車椅子のタイヤには外出先で砂塵などの汚れが付着してしまうので、帰宅時に室内に入る前にタイヤの汚れを雑巾などで拭く必要があったが、車椅子のタイヤを拭くのは面倒な作業で、車椅子に乗ったままの状態では不可能だった。  従来技術は、高価で大掛かりな装置のため設置場所が大きく、外出先に持ち歩いて使用することもできなかった。  そのため、外出先にも持ち歩けて車椅子に乗ったままの状態で、一人でも取り扱える安価で小型の器具を必要とした。【解決手段】  本体の取り付け部（１）挿入ロック部（２）と、タイヤを清掃する砂落とし用のブラシ（３）拭き取り用の布（４）と、それらを接続するクッションアーム（５）や角度調節部（６）砂受けカゴ（７）から構成される、小型軽量の車椅子用タイヤクリーナー。【選択図】図１
2015083107.tif 000002
【特許請求の範囲】
【請求項１】
本体の取り付け部（１）挿入ロック部（２）と、タイヤを清掃する砂落とし用のブラシ（３）拭き取り用の布（４）と、それらを接続するクッションアーム（５）や角度調節部（６）砂受けカゴ（７）から構成される、小型軽量の車椅子用タイヤクリーナー。
【発明の詳細な説明】
【技術分野】
【０００１】  本発明は、車椅子に乗ったままの状態で、タイヤに付着した汚れを取り除くための小型軽量の車椅子用タイヤクリーナーに関するものである。
【背景技術】
【０００２】  車椅子で外出すると、車椅子のタイヤに外出先で砂塵などの汚れが付着してしまうので、帰宅時に室内に入る前にタイヤの汚れを雑巾など手で拭いていた。
車椅子を装置の上に乗せてタイヤの汚れを取り除く、高価で大きな機械が知られている（特許文献１、特許文献２、特許文献３、特許文献４、特許文献５参照）。
【先行技術文献】
【特許文献】
【０００３】
【特許文献１】  特開２００１−１０６０３６号公報
【特許文献２】  特開２００５−１２６０２５号公報
【特許文献３】  特開２００７−０８２８８３号公報
【特許文献４】  特開２００８−０８０８４９号公報
【特許文献５】  登録実用新案第３１３４４５５号公報
【発明の概要】
【０００４】  車椅子で屋外から室内に入る時に、車椅子に乗ったままの状態で車椅子のハンドブレーキに簡単に装着してタイヤに付着した汚れを清掃する技術を提供する。
一般的な車椅子に標準装備しているハンドブレーキを装着箇所として利用することが、従来技術には無かった本発明の特徴である。
【発明が解決しようとする課題】
【０００５】  車椅子のタイヤを拭くのは面倒な作業で、車椅子に乗ったままの状態では不可能だった。
従来技術は、高価で大掛かりな装置のため設置場所が大きく、外出先に持ち歩いて使用することもできなかった。
そのため、外出先にも持ち歩けて車椅子に乗ったままの状態で、一人でも取り扱える安価で小型の器具を必要とした。
本発明は、以上の問題を解決するものである。
【課題を解決するための手段】
【０００６】  車椅子のハンドブレーキに取り付ける本体の取り付け部と挿入ロック部に、クッションアームと角度調節部で接続された砂落とし用のブラシと拭き取り用の布、そして砂塵をキャッチする砂受けカゴを設ける。
以上の構成よりなる車椅子用タイヤクリーナー。
【発明の効果】
【０００７】  本発明を取り付けたら車椅子を前進、または後進させるだけといった、従来技術にはない簡単な使用方法でタイヤを清掃できるので、帰宅したら玄関で本発明を取り付けてそのまま室内に入室するだけで問題が解決できる。
車椅子のハンドブレーキに装着して使用するので、従来技術よりも格段に小型軽量となり設置場所を必要としないので、容易に携帯して外出先でも使用することができる。
約７種類のパーツだけで製造できるので、構造が簡単で小型軽量のため従来技術より製造コストが安価となる。
着脱と使用方法が極めて簡単なので、車椅子に乗っている本人自身が自分で着脱とタイヤの清掃ができるので、人にお願いする気苦労（ストレス）がなくなる。
【図面の簡単な説明】
【０００８】
【図１】  本発明の平面図である。
【図２】  本発明の使用状態を示す平面図である。
【発明を実施するための形態】
【０００９】  以下、本発明の実施の形態を説明する。
（イ）車椅子のハンドブレーキ（１０）に取り付ける本体の取り付け部（１）挿入ロック部（２）と、タイヤを清掃する砂落とし用のブラシ（３）拭き取り用の布（４）と、それらを接続するクッションアーム（５）や角度調節部（６）砂受けカゴ（７）から構成される。
（ロ）取り付け部（１）の中央に、車椅子のハンドブレーキ（１０）に接続するための挿入ロック部（２）を設ける。
（ハ）取り付け部（１）の上下に、クッションアーム（５）を取り付け、その先端に角度調節部（６）を設ける。
（ニ）上側に取り付けたクッションアーム（５）と角度調節部（６）の先端に、取り外し可能な砂落とし用のブラシ（３）を設ける。
（ホ）下側に取り付けたクッションアーム（５）と角度調節部（６）の先端に、取り外し可能な拭き取り用の布（４）を設ける。
（ヘ）取り付け部（１）に、角度調節部（６）で接続した取り外し可能な砂受けカゴ（７）を設ける。
本発明は、以上のような構造である。
【００１０】  本発明を使用する時は、本発明２個を車椅子のハンドブレーキ（１０）両輪に、取り付け部（１）を挿入ロック部（２）がロックするまで押し込んで取り付ける。
砂落とし用のブラシ（３）と拭き取り用の布（４）が、クッションアーム（５）のバネの力で車椅子の後タイヤ（９）に安定して密着していることを確認する。
密着度が弱い場合は、砂落とし用のブラシ（３）と拭き取り用の布（４）を角度調節部（６）で調節する。
車椅子を前進させると、まず砂落とし用のブラシ（３）がタイヤに付着した砂を取り除き、次に拭き取り用の布（４）がタイヤに付着した小さな塵を取り除く。
車椅子のタイヤに付着した汚れの状態に応じて、拭き取り用の布（４）を水や消毒アルコールで湿らせて使用する。
取り除かれた砂塵が床面（１１）を汚さないように、砂塵を砂受けカゴ（７）がキャッチする。
砂受けカゴ（７）の位置がずれている場合は、角度調節部（６）で調節する。
使い終わって取り外す時は、車椅子のハンドブレーキ（１０）から取り付け部（１）を横にスライドして抜き取る。
タイヤを清掃する砂落とし用のブラシ（３）と拭き取り用の布（４）と砂受けカゴ（７）は、本体から取り外して清掃や交換ができる。
取り外した砂落とし用のブラシ（３）と拭き取り用の布（４）は、車椅子のタイヤに付着した汚れの状態に応じて砂落とし用のブラシ（３）を拭き取り用の布（４）に交換、または拭き取り用の布（４）を砂落とし用のブラシ（３）に交換して使用できる。
【符号の説明】
【００１１】    １取り付け部
２挿入ロック部
３砂落とし用のブラシ
４拭き取り用の布
５クッションアーム
６角度調節部
７砂受けカゴ
８車椅子の前タイヤ
９車椅子の後タイヤ
１０車椅子のハンドブレーキ
１１床面
【図１】
2015083107.tif 000003
【図２】
2015083107.tif 000004
(57)【要約】【課題】ペット用キャリーバッグ内部は小さな空間で、空気の対流が悪く、通気穴や覗き穴だけでは、次のような問題があった。（イ）ペット用キャリーバッグ内の温度上昇により、ペットが熱中症になりやすい。（ロ）温度上昇、換気（通気）不足により、ペットにとっての快適な環境が欠如している。本発明は、このような問題点を解決したペット用キャリーバッグを提供するものである。【解決手段】ペット用キャリーバッグ（１）に小型軽量の扇風機（２）を設けたことを特徴とするペット用キャリーバッグ。【選択図】図１
2015073534.tif 000002
【特許請求の範囲】
【請求項１】
ペット用キャリーバッグ（１）に小型軽量の扇風機（２）を設けたことを特徴とした扇風機付きペット用キャリーバッグ。
【請求項２】
着脱可能な小型軽量の扇風機を設けた扇風機付きペット用キャリーバッグ。
【発明の詳細な説明】
【技術分野】
【０００１】本発明は、犬等のペット（愛玩動物）を運搬する際などに使用するペット用キャリーバッグに関するものである。
【背景技術】
【０００２】従来より、布製やプラスチック製で、手提げや手押し車タイプのペット用キャリーバッグがあった（特許文献１参照）。
いずれも、通気穴や通気を兼ねた覗き穴（特許文献２参照）を設けている。
【先行技術文献】
【特許文献】
【０００３】
【特許文献１】特開  ２００４−６７２１３  号公報
【特許文献２】特開  ２００９−１４２１９６  号公報
【発明の概要】
【発明が解決しようとする課題】
【０００４】しかし、ペット用キャリーバッグ内部は小さな空間で、空気の対流が悪く、この通気穴や覗き穴だけでは、次のような問題があった。
（イ）ペット用キャリーバッグ内の温度上昇により、ペットが熱中症になりやすい。
（ロ）温度上昇、換気（通気）不足により、ペットにとっての快適な環境が欠如している。
本発明は、このような問題点を解決するものである。
【課題を解決するための手段】
【０００５】ペット用キャリーバッグ（１）に小型軽量の扇風機（２）を設けたことを特徴とした扇風機付きペット用キャリーバッグである。
【発明の効果】
【０００６】（イ）扇風機の送風による冷却で温度上昇を抑制し、熱中症発生リスクを低減できる。
（ロ）扇風機の送風により、適度な気流の発生と新鮮空気の供給、更には温度上昇の抑制が出来、ペット用キャリーバッグ内の環境を最適に出来る。
【図面の簡単な説明】
【０００７】
【図１】  本発明の概要を示した斜視図である。
【図２】  本発明の小型軽量扇風機側の立面図である。
【図３】  本発明の側面図である。
【図４】  本発明の平面図である。
【図５】  本発明の小型軽量扇風機の正面図である。
【図６】  本発明の小型軽量扇風機の側面図である。
【発明を実施するための形態】
【０００８】  以下、本発明の実施の形態について説明する。
ペット用キャリーバッグ（１）に、小型軽量の扇風機（２）を取り付ける。
（イ）布製で、小物入れのポケットが有る場合は、ポケットの外側に扇風機本体を引っかける形状とし、風を扇風機と一体のフード（３）でキャリーバッグ内部に誘導します。
（ロ）ペット用キャリーバッグの内側にはアクリル製等の薄い支持板（４）を取り付け、扇風機の取り付けによる布のたわみを無くします。
（ハ）小型軽量扇風機は、電池の入れ替え時等に容易に取り外せるよう、面ファスナー付きの伸縮ベルト（５）により、固定します。
本発明は、以上のような構成である。
これを使用するときは、扇風機本体の電源スイッチをオン、オフする。
【符号の説明】
【０００９】  １  ペット用キャリーバッグ本体
２  小型軽量の扇風機
３  フード
４  支持板
５  面ファスナー付き伸縮ベルト
【図１】
2015073534.tif 000003
【図２】
2015073534.tif 000004
【図３】
2015073534.tif 000005
【図４】
2015073534.tif 000006
【図５】
2015073534.tif 000007
【図６】
2015073534.tif 000008
(57)【要約】【課題】花壇などの植栽スペースを作る場合、コンクリートブロックや煉瓦、又は自然石が土留めとして使用されているが、施工が難しく、子どもや女性、老人には、簡単に作れなった。また、プラスチック製の土留めも使用されているが、好みの形の花壇を自由自在に作ることはできなかった。  本発明は、子どもや女性、老人でも、好みの形の花壇や植栽スペースを自由自在に、簡単に作ることができる自在式植栽用土留めを提供する。【解決手段】土留め板の両端に円筒形の連結穴兼支柱穴を設け、これに連結軸兼支柱杭を差し込み、地面に打ち込むようにし、さらに土留め板の上部に差し込み穴を設け、飾りフェンスなどを差し込むようにしたことを特徴とする自在式植栽用土留め。【選択図】図２
2015073532.tif 000002
【特許請求の範囲】
【請求項１】
土留め板の両端に円筒形の連結穴兼支柱穴を設け、これに連結軸兼支柱杭を差し込み、地面に打ち込むようした自在式植栽用土留め。
【請求項２】
土留め板の上部に差し込み穴を設け、飾りフェンスなどの足を差し込めるようにした請求項１の自在式植栽用土留め。
【発明の詳細な説明】
【技術分野】
【０００１】  本発明は、花壇などの植栽スペースの形を自由自在に作ることができる自在式植栽用土留めに関するものである。
【背景技術】
【０００２】  従来、植栽用の土留めは、コンクリート製や煉瓦製又は自然石製（特許文献１）などのブロックをセメントで接着固定して作っていた。また、プラスチック製の土留めは、支柱杭が無く単に地面の上に置くだけのもの（特許文献２）や、支柱杭が土留め板の下部に一体成形されたものを地面に打ち込んで設置するものなどがあった。
【先行技術文献】
【０００３】
【特許文献１】特開２００３−２５０３３９公報
【特許文献２】特開平９−１０７７９７公報
【発明の概要】
【発明が解決しようとする課題】
【０００４】  従来の土留めには、次のような欠点があった。
（イ）コンクリート製や煉瓦製又は自然石製の土留め（特許文献１）は、セメントで接着し固定するため、素人には施工が難しかった。更に、コンクリート製や煉瓦製の土留め１個のパーツはかなり重いので、その施工は女性や子ども、老人には不可能であった。また、一旦施工すると、セメントで接着しているので、形を変更しようとすれば、壊して新しく作り直すより他なかった。
（ロ）プラスチック製の土留めの内、単に地面の上に置くだけのもの（特許文献２）は、地面に固定することができないので、花壇や植栽用の土留めとしては不向きであった。また、プラスチック製の土留めの内、支柱杭が土留め板の下部に一体成形されたものが市販されているが、支柱杭を地面に打ち込むために、ハンマーで土留め板の上部を叩くと、土留め板が壊れる可能性があった。壊れることを回避しようと思えば、穴を掘って支柱杭を埋めるしかなかった。
（ハ）コンクリート製、煉瓦製、自然石製、プラスチック製、いずれの土留めも、各パーツ相互や土留め板相互の連結角度は、直角以外の角度を自由に設定することができず、従って花壇の形を自由自在に作ることができなかった。
【問題を解決するための手段】
【０００５】  土留め板の両端に円筒形の連結穴兼支柱穴を設け、これに連結軸兼支柱杭を差し込み、地面に打ち込むようにする。さらに土留め板の上部に差込み穴を設け、飾りフェンスの足を差し込むようにする。
以上の構成よりなる自在式植栽用土留め。
【発明の効果】
【０００６】  本発明を使用することにより、次のような効果が得られる。
（イ）セメントによる施工がなく、連結軸兼支柱杭を打ち込むだけで施工できるので、素人でも簡単に土留めを設置することができる。
（ロ）土留め板の材質を軽量にすれば、女性や子ども、老人でも簡単に土留めを設置することができる。
（ハ）土留め板相互の連結角度が自由に設定できるので、いろいろな形の花壇や植栽区画を作ることができる。三角形や四角形は勿論、ハート形や扇型など好みの形の花壇が自由自在に作れるので、楽しい花壇づくりができる。更に、土留め板上部の差込み穴に、いろいろなデザインの飾りフェンスを差し込めば、美しい花壇づくりができる。
（二）各土留め板の両端で連結軸兼支柱杭を地面に打ち込むので、十分な土留め効果が得られる。
（ホ）一旦施工しても、連結軸兼支柱杭を地面から抜けば、ばらばらになるので何度でも再使用できる。
【図面の簡単な説明】
【０００７】
【図１】本発明の部品の斜視図
【図２】本発明の使用状態を示す斜視図
【図３】本発明の使用状態の例を示す平面図
【発明を実施するための形態】
【０００８】  以下、本発明の実施の形態を説明する。
（イ）土留め板（１）の両端に円筒形の連結穴兼支柱穴（２）を設ける。
（ロ）連結穴兼支柱穴（２）は、土留め板（１）を次々と連結できるよう、左右の取り付け位置を違える。
（ハ）連結軸兼支柱杭（３）は、地面に打ち込むため、土留め板（１）の上下幅より長くする。
（二）土留め板（１）の上部に差込み穴（４）を設け、飾りフェンスの足を差し込めるようにする。
本発明は、以上のような構造である。
本発明を使用するときは、土留め板（１）を複数枚連結し、連結穴兼支柱穴（２）に連結軸兼支柱杭（３）を差し込み、地面上で好みの形に仮置きする。好みの形が決定し、連結軸兼支柱杭（３）をハンマーで地面に打ち込めば、花壇や植栽区画ができ上がり、土を入れられる状態となる。
最後に、土留め板（１）の差込み穴（４）に、いろいろなデザインの飾りフェンスを差し込めば、美しい花壇のでき上がりである。また、土留め板（１）の差込み穴（４）は、花や樹木の名前の表示、案内板の表示などに利用することもできる。
【符号の説明】
【０００９】    １  土留め板
２  連結穴兼支柱穴
３  連結軸兼支柱杭
４  差し込み穴
【図１】
2015073532.tif 000003
【図２】
2015073532.tif 000004
【図３】
2015073532.tif 000005
(57)【要約】【課題】  本発明は、コーナー部の壁面間にも保持することができる、壁面取り付け棒状体、及びその支持具を提供することを課題とする。【解決手段】  突っ張り棒、圧着棒、伸縮棒、伸縮ポール、伸縮装置等の、壁面取り付け棒状体であって、その両端に、ゴム板等の弾性部材が、回動自在に取り付けられているとともに、前記ゴム板等の弾性部材に、両面テープ等の粘着部材が取り付けられていることを、特徴とする壁面取り付け棒状体、及びその支持具を提供することで、課題を解決した。【選択図】図１
2015073886.tif 000002
【特許請求の範囲】
【請求項１】
突っ張り棒、圧着棒、伸縮棒、伸縮ポール、伸縮装置等の、壁面取り付け棒状体であって、その両端に、ゴム板等の弾性部材が、回動自在に取り付けられているとともに、前記ゴム板等の弾性部材に、両面テープ等の粘着部材が取り付けられていることを、特徴とする壁面取り付け棒状体。
【請求項２】
請求項１記載の壁面取り付け棒状体において、その両端に、回動自在に取り付けられる、ゴム板等の弾性部材であって、両面テープ等の粘着部材が取り付けられていることを、特徴とする支持具。
【発明の詳細な説明】
【技術分野】
【０００１】  本発明は、突っ張り棒、圧着棒、伸縮棒、伸縮ポール、伸縮装置等の、壁面取り付け棒状体、及びその支持具に関する。
【背景技術】
【０００２】  従来、突っ張り棒、圧着棒、伸縮棒、伸縮ポール、伸縮装置等の、壁面取り付け棒状体は、前記棒状体の突っ張り力をもって、概略平行に向かい合う壁面間には保持することができるが、コーナー部の壁面間には保持することができない問題があった。
【発明の概要】
【発明が解決しようとする課題】
【０００３】  本発明は、コーナー部の壁面間にも保持することができる、突っ張り棒、圧着棒、伸縮棒、伸縮ポール、伸縮装置等の、壁面取り付け棒状体、及びその支持具を提供することを目的とする。
【課題を解決するための手段】
【０００４】  上記課題を解決するための手段として、本発明に係る、請求項１記載の壁面取り付け棒状体は、その両端に、ゴム板等の弾性部材が、回動自在に取り付けられているとともに、前記ゴム板等の弾性部材に、両面テープ等の粘着部材が取り付けられていることを、特徴とする。【０００５】  上記課題解決手段による作用は次の通りである。すなわち、前記壁面取り付け棒状体の両端に、ゴム板等の弾性部材が、回動自在に取り付けられていることで、前記棒状体の本体の軸方向に対して斜めなコーナー部の壁面にも、前記棒状体の突っ張り力が加わることができる。また、前記ゴム板等の弾性部材に、両面テープ等の粘着部材が取り付けられていることで、前記棒状体の突っ張り力が前記粘着部材に加わり、前記粘着部材の粘着力を強く維持することができる。このことから、前記壁面取り付け棒状体を、コーナー部の壁面間に保持することができる。【０００６】  また、請求項２記載の支持具は、請求項１記載の壁面取り付け棒状体において、その両端に、回動自在に取り付けられる、ゴム板等の弾性部材であって、両面テープ等の粘着部材が取り付けられていることを、特徴とする支持具である。
【発明の効果】
【０００７】  上述したように、本発明の壁面取り付け棒状体、及びその支持具は、コーナー部の壁面にも保持することができる、壁面取り付け棒状体、及びその支持具を提供できる。
【図面の簡単な説明】
【０００８】
【図１】  本発明の実施形態を示す壁面取り付け棒状体の一例の斜視図
【図２】  図１の棒状体をコーナー部の壁面間に保持した状態の一例の斜視図
【図３】  図１の棒状体に取り付けられる支持具の一例の斜視図
【発明を実施するための形態】
【０００９】  以下、本発明の実施の形態を図１〜図３に基づいて説明する。
【００１０】  図１においては、壁面取り付け棒状体の本体２１の両端に、ゴム板等の弾性部材２２が、回動自在に取り付けられているとともに、前記ゴム板等の弾性部材２２に、両面テープ等の粘着部材２３が取り付けられていることを特徴とする、請求項１記載の壁面取り付け棒状体の一例を図示している。
【００１１】  図２に示すように、壁面取り付け棒状体の本体２１の両端に、ゴム板等の弾性部材２２が、回動自在に取り付けられていることで、前記棒状体の本体の軸方向に対して斜めなコーナー部の壁面にも、前記棒状体の突っ張り力が加わることができる。また、前記ゴム板等の弾性部材２２に、両面テープ等の粘着部材が取り付けられていることで、前記棒状体の突っ張り力が前記粘着部材に加わり、前記粘着部材の粘着力を強く維持することができる。このことから、本発明の壁面取り付け棒状体は、コーナー部の壁面間にも保持することができる。
【００１２】  また、図３においては、請求項１記載の壁面取り付け棒状体において、その両端に、回動自在に取り付けられる、ゴム板等の弾性部材２２であって、両面テープ等の粘着部材２３が取り付けられていることを特徴とする、請求項２記載の支持具の一例を図示している。
【符号の説明】
【００１３】２１  壁面取り付け棒状体の本体
２２  ゴム板等の弾性部材
２３  両面テープ等の粘着部材
【図１】
2015073886.tif 000003
【図２】
2015073886.tif 000004
【図３】
2015073886.tif 000005